Podtech/llm-jp-corpus-v4-ja_patent huggingface dataset:
(57)【要約】【課題】音響による音楽効果と振動効果の相乗作用により入浴時のリラクセーション効果を高めることができる浴槽用座椅子を提供する。【解決手段】ステンレス製で、中空状の水密構造をなす座部２と、該座部２と一体の背もたれ部３よりなり、背もたれ部上端にはダクト４が接続され、ダクト上端には浴槽外に設置したＣＤプレイヤーやカセットデッキ６接続されるスピーカ５が内蔵され、スピーカ５から発生する音楽や振動がダクト４を通して座部２や背もたれ部３に伝わるようにする。【選択図】図１
0003109365.tif 000002
【実用新案登録請求の範囲】
【請求項１】
浴槽内に設置され、中空状の水密構造をなす座部及び背もたれ部と、座部又は背もたれ部に接続され、浴槽外に設置した音響機器より音楽を導入するダクトよりなることを特徴とする浴槽用座椅子。
【請求項２】
上記音響機器のうち、スピーカを座部及び若しくは背もたれ部に設置すると共に、ダクトを省いたことを特徴とする請求項１記載の浴槽用座椅子。
【考案の詳細な説明】
【技術分野】
【０００１】
本考案は、浴槽内に設置され、音響により入浴中のリラクセーション効果を高めるための座椅子に関する。
【背景技術】
【０００２】
入浴時のリラクセーション効果を高める方法としては、気泡浴、ジェット水流、シャワー、打たせ湯、超音波湯などが知られ、また下記特許文献１には、マッサージ器や超音波発振器よりなる血行促進装置を備えた浴槽用車椅子が開示されている。
【特許文献１】特開平１０−２９５７７３号公報
【考案の開示】
【考案が解決しようとする課題】
【０００３】
日常生活において、リラクセーション効果を高める方法の一つに音楽鑑賞がある。
本考案は、音響による音楽効果と振動効果の相乗作用により入浴時のリラクセーション効果を高めることができる浴槽用座椅子を提供することを目的とする。
【課題を解決するための手段】
【０００４】
本考案の浴槽用座椅子は、浴槽内に設置され、中空状の水密構造をなす座部及び背もたれ部と、座部好ましくは背もたれ部に接続され、浴槽外に設置した音響機器より音楽を導入するダクトよりなることを特徴とする。
【０００５】
座椅子の材質としては通常、亜鉛メッキ鋼板、ステンレス等の金属が用いられるが、硬質樹脂を用いることもできる。
【０００６】
本考案で用いる音響機器としては、例えばＣＤプレイヤーやカセットデッキとスピーカーからなるもの、ラジオなどを挙げることができる。
【０００７】
別の浴槽用座椅子は、上記浴槽用座椅子において、音響機器、好ましくはそのうちのスピーカを座部及び若しくは背もたれ部に設置すると共に、ダクトを省いたことを特徴とする。
【考案の効果】
【０００８】
本考案によると、背もたれにもたれかかって椅子に座った状態で入浴中、音楽を聴きながら座部及び背もたれ部から振動が与えられ、入浴によるリラクゼーション効果と、音響と振動の相乗効果により入浴時のリラクゼーション効果がより一層向上する。
【考案を実施するための最良の形態】
【０００９】
図１に示す座椅子は、浴槽１に設置され、ステンレス製で、中空状の水密構造をなす座部２と、該座部２と一体の背もたれ部３よりなり、背もたれ部３端にはダクト４が接続されているもので、ダクト上端には浴槽外に設置したＣＤプレイヤーやカセットデッキ６接続されるスピーカ５が内蔵され、スピーカ５から発生する音楽や振動がダクト４を通して座部２や背もたれ部３に伝わるようにしてある。
【００１０】
背もたれ部３にもたれかかって座部２に座った入浴時においては、音楽を聴きながら座部２や背もたれ部３から振動が伝わり、リラクセーション効果が与えられる。
【００１１】
図２に示す座椅子は、ダクト４を省き、背もたれ部３にスピーカー５を内蔵したボックス８を取付けたものである。
【産業上の利用可能性】
【００１２】
本考案は、家庭の浴槽に設置されるほか、例えば温泉、ホテル、公衆浴場、老人ホームや病院、各種健康センター等の浴槽に設置することができる。
【図面の簡単な説明】
【００１３】
【図１】本考案に係わる座椅子を設置した浴槽の概略断面図。
【図２】座椅子の別の例の概略断面図。
【符号の説明】
【００１４】
１・・浴槽
２・・座部
３・・背もたれ部
４・・ダクト
５・・スピーカ
６・・ＣＤプレイヤーやカセットデッキ
８・・ボックス
【図１】
0003109365.tif 000003
【図２】
0003109365.tif 000004
(57)【要約】      （修正有）【課題】通気性のある持ち運び用ベッドを提供する。【解決手段】持ち運び用ベッド１はプラスチック素材からなる１つの成形体から造られている。その上部には、頭受け３に対してゆるい勾配で上昇していく側縁部２がある。持ち運び用ベッドの特徴的な性質は、２つの側面４に、すなわち、頭受けに対応する部分に、開口部５を有していることにある。開口部５は、持ち運び用ベッド内部の通気を促進する。開口部５は側面の低い位置に設けられ、側面の一部分として成形された装飾的領域６の内部に含まれている。さらに、開口部５は、側面を補強する補強用リブを構成する横断面の段部７を決定するくぼみ領域によって形成されている。これらの開口部５はそれぞれスリットによって形成され、スリットは空気のための傾斜した通路によって決定している。【選択図】図１
0003109374.tif 000002
【実用新案登録請求の範囲】
【請求項１】
持ち運び用ベッドの側面の少なくとも１つに、持ち運び用ベッドの内部の通気をするための開口部を備えていることを特徴とする持ち運び用ベッド。
【請求項２】
前記開口部は、傾斜して、重なり合う通路であることを特徴とする請求項１に記載の持ち運び用ベッド。
【請求項３】
前記開口部は、実際に持ち運び用ベッドの製造内で、プラスチック素材の成形作業中に得られることを特徴とする請求項１に記載の持ち運び用ベッド。
【請求項４】
前記開口部は、持ち運び用ベッドの頭受けに対応する側面部分に設けられていることを特徴とする請求項１に記載の持ち運び用ベッド。
【考案の詳細な説明】
【考案の詳細な説明】
【０００１】
（技術分野）
本考案は、持ち運び用ベッドに関するものである。
【０００２】
（背景技術）
幼児が乳飲み子であるときに利用する乳母車の筐体に、ほとんどの部分が適している持ち運び用ベッドには、様々な種類がある。その持ち運び用ベッドは、幼児がすでに座れる状況になったときに、座席と取替え可能である。
【０００３】
一般に、持ち運び用ベッドは、フレーム（骨組み）と装飾材料を含むが、最近、プラスチック素材からなる１つの成形体から造られる。
【０００４】
（課題を解決するための手段）
本考案は、持ち運び用ベッドが、内部の通気を行なうための手段を持つことを目的とする。前記手段は、持ち運び用ベッドの２つの側面に設けられ、実際に持ち運び用ベッドが成形されるときに得られる。
【０００５】
前記手段は、持ち運び用ベッドの頭受けに対応する側面部分に、好都合に設けられた開口部からなる。前記開口部は傾斜して重なり合う通路からなる。従って、持ち運び用ベッドの側面を正面に見たときに、（図示しないような方法で）重なり合う通路は開口部を隠すようになる。
【０００６】
次の〔考案を実施するための最良の形態〕の詳細な説明と、詳細な説明を容易に理解できるようにする実施の形態を示す図面によって、上記の特徴および他の特徴が最も良いということが明確にされるだろう。また、実施の形態に記載された例のみによって本考案の範囲を限定するものではない。
【０００７】
（考案を実施するための最良の形態）
図１によると、持ち運び用ベッド１はプラスチック素材からなる１つの成形体から造られている。その上部には、頭受け３に対してゆるい勾配で上昇していく側縁部２がある。
【０００８】
持ち運び用ベッドの特徴的な性質は、２つの側面４に、すなわち、頭受けに対応する部分に、開口部５を有していることにある。開口部５は、持ち運び用ベッド内部の通気を促進する。開口部５は側面の低い位置に設けられ、側面の一部分として成形された装飾的領域６の内部に含まれている。さらに、開口部５は、側面を補強する補強用リブを構成する横断面の段部７を決定するくぼみ領域によって形成されている。
【０００９】
これらの開口部５はそれぞれスリットによって形成され、スリットは空気のための傾斜した通路によって決定している。持ち運び用ベッドの側面を正面に見たときに、前記通路は（図示しないような方法で）重なり合うような並べ方で配置されている。
【００１０】
これらの通気手段は従来の通気手段と併用される。従来の通気手段は、ある種の持ち運び用ベッドの底部に設けられ、一般に調整可能なタイプである。
【００１１】
持ち運び用ベッドは、運搬のための取っ手のような付属物を備えており、持ち運び用ベッド内部の裏地はマットレスとその他のものである。
【００１２】
本考案の本質は、上記の実施形態の例に限定されるものではなく、細部が異なる他の実施形態においても実現される。さらに、前記他の実施形態も、また、求める保護の範囲内で実現される。
【図面の簡単な説明】
【００１３】
【図１】本考案の実施形態を示すものであり、持ち運び用ベッドを示す側面図である。
【図２】図１におけるＩ−Ｉ線の矢印の方向から見た、開口部を詳細に示す断面図である
【符号の説明】
【００１４】
１    持ち運び用ベッド
２    側縁部
３    頭受け
４    側面
５    開口部
６    装飾的領域
７    段部
【図１】
0003109374.tif 000003
【図２】
0003109374.tif 000004
(57)【要約】      （修正有）【課題】地上又は地上付近に設置し、簡素な構造で耐久性があり加工し易く安価で、衛生的に温水がつくれる太陽熱集熱水道配管装置を提供する。【解決手段】熱伝導率が高く耐久性のある金属管を熱吸収率を高める塗装処理し、螺旋状の導水管に加工し、導水管を透明な強化プラスチック製又は強化ガラス製の円筒状パイプに装入し、円筒状パイプの両端をキャップで塞ぎ密閉状態にし温室効果を高め、導水管に水を流し、水が流れていく過程で温水をつくることを特徴とする太陽熱集熱水道配管装置。【選択図】図５
0003109308.tif 000002
【実用新案登録請求の範囲】
【請求項１】
本考案は、熱伝導率が高く耐久性のある金属管を熱吸収率を高める塗装処理し、螺旋状の導水管に加工し、導水管を透明な強化プラスチック製又は強化ガラス製の円筒状パイプに装入し、円筒状パイプの両端をキャップで塞ぎ密閉状態にし温室効果を高め、導水管に水を流し、水が流れていく過程で温水をつくることを特徴とする太陽熱集熱水道配管装置にある。
【考案の詳細な説明】
【技術分野】
【０００１】  本考案は、太陽の熱エネルギーを集熱し温水をつくる水道配管装置に関するものである。
【背景技術】
【０００２】  家の屋根に太陽熱集熱器を設置し太陽の熱エネルギーから温水をつくり貯湯槽に蓄えておきこれを利用する太陽熱温水器が広く知られている。
【考案の開示】
【考案が解決しようとする課題】
【０００３】  太陽の熱エネルギーを利用した太陽熱温水器が地球温暖化の原因となる温室効果ガスを削減するためにたいへん有用となっているが、初期の設備投資額が高く、集熱器と貯湯槽の一体型の太陽熱温水器では重量が２〜３００ｋｇになるので屋根に対する負荷が大きく、地震や強風時の落下の不安があり、設置架台や配管ホースが家屋の景観を損ねるという観があり、温水器の中には水垢が堆積して衛生的ではない等の諸問題があり解決しなければならない。【０００４】  本考案は、地上又は地上付近に設置し、簡素な構造で耐久性があり加工し易く安価で、衛生的に温水がつくれる太陽熱集熱水道配管装置を提供することを目的とする。
【考案を解決するための手段】
【０００５】  上記の目的を達成するための本考案の要旨とするところは、熱伝導率が高く耐久性のある金属管を熱吸収率を高める塗装処理し、螺旋状の導水管に加工し、導水管を透明な強化プラスチック製又は強化ガラス製の円筒状パイプに装入し、円筒状パイプの両端をキャップで塞ぎ密閉状態にし温室効果を高め、導水管に水を流し、水が流れていく過程で温水をつくることを特徴とする太陽熱集熱水道配管装置にある。
【考案の効果】
【０００６】  本考案は、次に記載する効果を奏する。
【０００７】  太陽熱を有効に集熱させ水が流れていく過程で温水をつくる水道配管装置であるから、安価で設置でき、簡素な構造で軽量であるため施工性に富み、取付形状もいろいろ変えられるので狭いスペースでも設置でき、耐久性に優れ、水垢が堆積しないので衛生的でありメンテナンスは不要である。
【考案を実施するための最良の形態】
【０００８】  太陽の照射が十分な場所に、導水管１の長手方向中央に導水管１の撓み防止支持具５を装着し円筒状パイプ２に装入しパッキン４が施されたキャップ３で塞ぎ、水道配管から分岐した配管と導水管の一端の接続部とを接続した方を水出口とし、もう一方の端の接続部、つまり温水出口は浴室内に設けられた専用蛇口の配管と接続する。【０００９】  導水管をつくる金属管は、直径１０ｍｍ前後で肉厚１ｍｍ以下のものが望ましく、導水管は、直径が１２０ｍｍ前後で長さは１２００ｍｍなど数サイズを用意し、螺旋のピッチは６０ｍｍ前後が望ましい。【００１０】  導水管１は、容易に継ぎ手を用いて接続延長でき、導水管１の両末端部の金属管を導水管の長手方向と平行、かつ金属管と導水管が同心円になるように曲げ加工され接続部６は形成される。【００１１】  温水の浴槽への注水開始と完了は、タイマーで水電磁弁を作動させておこない、注水時間は、季節によって日照条件が異なるから太陽の南中時刻の数分後から開始し３〜４時間時間程度で浴槽の水量が適量となるように注水し、注水量は、浴室内に設けられた専用蛇口で毎分８００ｃｃ〜１０００ｃｃ程度に調節する。【００１２】  専用蛇口で季節毎に１分間当たりの注水量を調節するが、調節した後、つまり若干の『開』の状態にした後は簡単に回せないハンドル無しのキー式水栓等を取り付けて置くことが望ましい。【００１３】  雨天の日や冬期に温水が適温に満たない場合には、風呂釜を併用することで沸かすことができる。
【実施例】
【００１４】  〔図５〕において（ア）は、塀の上に横一直線に接続延長した実施例で、（イ）は、壁際の縦方向の空間に横に接続延長した実施例で、（ウ）は浴室に隣接して縦に設置した実施例であり、このように設置場所の状況に応じた設置が可能である。
【産業上の利用可能性】
【００１５】  ▲１▼  電気温水器の貯湯ポットやエコキュートの貯湯タンクユニットに接続すればより一層の光熱費の節約と燃料消費量を減らし温室効果ガスの排出量を低減する。
▲２▼  軽量，かついろいろに形状を変えられるので窓枠のデザインとしたり、フェンスに使用したり、車庫の屋根を這わせたり様々な場所での設置が可能である。
【図面の簡単な説明】
【００１６】
【図１】（ア）  は本考案の導水管の左側面図である。（イ）  は本考案の導水管の正面図である。（ウ）  は本考案の導水管の右側面図である。
【図２】（ア）  は本考案の円筒状パイプの側面図である。（イ）  は本考案の円筒状パイプの正面図である。
【図３】（ア）  は本考案のキャップの左側面図である。（イ）  は本考案のキャップの断面図である。（ウ）  は本考案のキャップの右側面図である。
【図４】は本考案の導水管の撓み防止支持具である。
【図５】は実施例を示す。
【符号の説明】
【００１７】１  導水管
２  円筒状パイプ
３  キャップ
４  パッキン
５  導水管撓み防止支持具
６  接続部
【図１】
0003109308.tif 000003
【図２】
0003109308.tif 000004
【図３】
0003109308.tif 000005
【図４】
0003109308.tif 000006
【図５】
0003109308.tif 000007
【手続補正書】
【提出日】平成16年12月13日(2004.12.13)
【手続補正１】
【補正対象書類名】実用新案登録請求の範囲
【補正対象項目名】全文
【補正方法】変更
【補正の内容】
【実用新案登録請求の範囲】
【請求項１】
本考案の特徴は、透光率を高めるために透明なガラス製またはプラスチック製の円筒状のパイプと、円筒状パイプの両端部に装着する穿孔部を施されたキャップと、熱伝導率が高く耐久性を有し螺旋状に曲げ加工し熱吸収率を高める塗装処理した金属管から構成され、この螺旋状金属管を円筒状パイプに封入し、螺旋状金属管の両端部はキャップの穿孔部から突き出るようにキャップし温室効果を高め、また、この螺旋状金属管と円筒状パイプはそれぞれの継ぎ手により任意に接続延長でき、既設または新設の水道配管に組み込む太陽熱集熱水道配管装置にある。
(57)【要約】      （修正有）【課題】補正したい個所にシリコン製のパットを密着させ体型を補正し、床ずれが出来そうな個所に同素材のシート状のシリコンを用いて床ずれを防止する。【解決手段】皮膚との密着面にはシリコンを用い衣服や寝具等、肌以外が接触する面には表面処理を施しべた付かないようにした。【選択図】図１
0003109306.tif 000002
【実用新案登録請求の範囲】
【請求項１】
シリコン製のパット１を体に３の部分を密着させ体型を補正する服飾用品。
【請求項２】
シリコン製のシート５を体に密着させ体型を補正し床ずれ等を予防する寝具用品。
【考案の詳細な説明】
【考案の詳細な説明】
【考案が解決しようとする課題】
【０００１】従来、服飾に使用するパット類は衣服などに装着をして用いるものであるが、デザインや生地の隠ぺい率などにより使用範囲が制限されていた、又床ずれ予防寝具も使用者の体型に合わせたデザインでの使用は価格や技術面で困難である。
【課題を解決するための手段】
【０００２】上記目的を達成するために、女性用の下着などで人体に密着させて用いる肌色のシリコンを各部位の形状に整形したものを肩やでん部腰など体型を補正したいところに密着させ表面処理により密着性を抑えた２のうえに衣服を着用することにより従来の様に衣服にパットを装着せずに外観を補正できる、又同素材のシート状のシリコンを用いて床ずれが出来そうな個所及び周辺に用いる。
【考案の効果】
【０００３】補正したい部位のパット１個でどの服装にも使用が出来、外観からはパットを使用していることがわかりずらく洗浄も安易で衛生面にも効果があり寝具に用いると床ずれの予防の助けになる。
【図面の簡単な説明】
【図１】本考案を肩に用いた正面図である
【図２】本考案を肩に用いた側面図である
【図３】Ａ−Ｂ部断面図である
【図４】就寝時の装着図である
【符号の説明】
１  肩用パット
２  表面処理面
３  密着面
４  寝姿での装着姿
【図１】
0003109306.tif 000003
【図２】
0003109306.tif 000004
【図３】
0003109306.tif 000005
【図４】
0003109306.tif 000006
【手続補正書】
【提出日】平成16年11月8日(2004.11.8)
【手続補正１】
【補正対象書類名】実用新案登録請求の範囲
【補正対象項目名】全文
【補正方法】変更
【補正の内容】
【実用新案登録請求の範囲】
【請求項１】
衣服に接触する表面が凸上、人体に密着する裏面が凹状の曲面をなし、中心部が肉厚、周縁部が肉薄な長円形の肩パットで、ビニール又は繊維から成る表面材、及びシリコンから成る裏面材とが固着された２層構造の肩パット。
【請求項２】
横臥時床部に接触する表面及び人体に密着する裏面が板状の床ずれ予防シートで、ビニール又は繊維から成る表面材、及びシリコンから成る裏面材とが固着された２層構造の床ずれ防止シート。
(57)【要約】      （修正有）【課題】長時間のパソコンマウス操作作業において、マウス操作作業が円滑に出来、加圧による手元の疲れ、痛み、痺れを軽減するために、着脱式のパソコンマウス操作用プロテクターを提供する。【解決手段】円滑に可動できる台座シート（１）に設けられた小指差し込み部（２）に小指を通し台座シート部を安定させ、手元は加圧をカバー吸収するクッション材（４）に手元を乗せ、手元固定用バンドにより手元を固定し、マウス操作を円滑に操作させ、作業能率を上げる。【選択図】図１
0003109309.tif 000002
【実用新案登録請求の範囲】
【請求項１】
パソコンマウスの長時間操作時において、利き腕手元が加圧圧迫により血行が妨げられ、痛み疲れ、痺れ等が発生し、マウスの操作が円滑に行い難くなる問題を解消する為に、手元の加圧されるヶ所には（４）のクッション材を配置し、手元にかかる加圧を減少させ、円滑にマウス操作が行える事を目的としたパソコンマウス操作用プロテクター。
【考案の詳細な説明】
【技術分野】
【０００１】
本考案は、長時間のパソコンマウス操作作業時において、加圧圧迫による手元の疲れ及び痛み、痺れ等を軽減させる為、パソコンマウス操作が円滑に操作出来る用に考慮した、着脱式パソコンマウス操作用プロテクターに関するものである。
【背景技術】
【０００２】
従来よりリストレスト,アームレストなるものはあったけれど、パソコンマウス操作の長時間操作作業に耐え、且パソコンマウス操作作業時に、手元の疲れ痛みを和らげ、円滑にマウス操作の出来る専用の着脱式の、パソコンマウス操作用プロテクターがなかった。  
（特許参考文献）
１．特開Ｈ０９−０７３３５０号広報（手首装着式リストレス）  
２．特開Ｈ０７−２７８９２０号広報（手または手袋のプロテクター）
３．特開２００２−２０７５５２号広報（アームレスト）    
【考案の開示】
【考案が解決しようとする課題】
【０００３】
類似考案（１．リストレス、３．アームレスト）は、手首に装着してキーボードの操作を行うものがあったが、手首のみの固定の為、長時間のパソコンマウス操作作業においては、所定の位置が安定せず、手首の自重と作業に依る加圧、圧迫で血管が押さえられるのと、手元装着の為作業スペースが広く必要とする問題点があった、又（２．手または手袋のプロテクター）は、長時間使用の際には手袋状態の為、地肌との温度調整が難しく地肌がムレたり、マウスでのパソコン作業においては、素手の部分が少ない為マウススクロール等の微妙なマウス操作が行いずらい問題点があった。
【課題を解決するための手段】
【０００４】
本考案はそれらの問題点を考慮して、手の内側にコンパクトに納まり、プロテクターと地肌との接触部分を少なくする事でムレを防ぎ、小指差し込み部（２）と手元固定バンド（３）によりプロテクターを固定し、加圧圧迫ヶ所には、クッション材（４）を施し加圧圧迫を軽減し、長時間のパソコンマウス操作作業による加圧圧迫による手元の痛み、疲れ、痺れ、地肌とのムレをカバー吸収し、パソコンマウス操作作業において、長時間のパソコンマウス操作作業が行なえ、作業能率を上げることを目的とする。
【考案の効果】
【０００５】
本考案の、パソコンマウス操作用プロテクターは、手の内側にコンパクトに納まる事に依り、パソコンマウス操作作業において下記の考案の効果が提供できる。
コンパクトである為地肌との接触部分が少なくムレる事が少ない。
台座シート（１）により円滑性が得られる為、マウス作業が迅速に行う事ができる
小指の差し込み（２）と手元バンド（３）により、プロテクターの手元のズレが、少なくなり手元との一体感が得られる。
加圧、圧迫部分はクッション材（４）を施し手元の疲れ、痛み、痺れを軽減させる
コンパクトであるので、着脱に手間がかからない。
【考案を実施するための最良の形態】
【０００６】
本考案に、子指を固定用の穴（２）に差し込み、手元の加圧されるヶ所は、クッション材（４）上に乗せて、手元バンド（３）により固定しパソコンマウス操作作業を行う。
【実施例】
【０００７】
以下、添付図面に従って実施例を説明する。
本考案品は、利き手の人差し指を（２）の差込部に差し込み装着し、台座シート（１）を安定させ、手元の加圧される部分は、クッション材（４）を施し、疲れ痛みを軽減させ、手元固定用バンド（３）により手元を固定し、バンドの係止めの箇所は、ワンタッチ材を設け、素手に装着してマウス操作作業をする。
【図面の簡単な説明】
【０００８】
【図１】本体平面図
【図２】本体断面図
【図３】本体取付状態図（見下ろし図）
【図４】本体取付状態図（見上げ図）
【符号の説明】
【０００９】
１  プロテクター台座シート  
２  子指差し込み部
３  手元固定用バンド
４  クッション材
【図１】
0003109309.tif 000003
【図２】
0003109309.tif 000004
【図３】
0003109309.tif 000005
【図４】
0003109309.tif 000006
【手続補正書】
【提出日】平成16年9月14日(2004.9.14)
【手続補正１】
【補正対象書類名】実用新案登録請求の範囲
【補正対象項目名】請求項１
【補正方法】変更
【補正の内容】
【請求項１】
パソコンマウス操作において、クッション材付き台座シート上に利き腕をのせ、小指は固定用穴に差し込み、手元バンドにより台座シートの移動ずれを防止して、パソコンマウスの長時間使用による疲労防止を特徴とするパソコンマスウス操作用プロテクター。
【手続補正書】
【提出日】平成17年1月5日(2005.1.5)
【手続補正１】
【補正対象書類名】実用新案登録請求の範囲
【補正対象項目名】全文
【補正方法】変更
【補正の内容】
【実用新案登録請求の範囲】
【請求項１】
手の平の付け根部分と小指を載せる台座シートによりマウス操作を行い、
台座シートの手元の加圧される部分は、クッション材を配置し、台座シートの小指を載せるヶ所は小指固定用の穴を有するものとし、手首部分は台座シートのズレ防止のバンドを有する事を特徴とするパソコンマウス操作用プロテクター。
【手続補正２】
【補正対象書類名】明細書
【補正対象項目名】０００７
【補正方法】変更
【補正の内容】
【０００７】
以下、添付図面に従って実施例を説明する。
本考案品は、小指を（２）の差込部に差し込み装着し、台座シート（１）を安定させ、手元の加圧される部分は、クッション材（４）を施し、疲れ痛みを軽減させ、手元固定用バンド（３）により手元を固定し、バンドの係止めの箇所は、ワンタッチ材を設け、素手に装着してマウス操作作業をする。
(57)【要約】      （修正有）【課題】従来のフロントサイドドアーガラスＵＶカットは寸法が小さめに作って有り日差し漏れが多分に有り、ＵＶカットの効果があまり得られなかった。取付も吸盤、密着付けで取付、駐車中、走行中に関わらず脱落と言う事も有り得る欠点があった。【解決手段】このサイドサンカットは各車種ごとにサイズを合す為、日差し漏れがほとんど無く、サイドサンカットのマジックテープ取付も両面テープで貼り、鳩目パッチで止め脱落防止して、フロントサイドガラス側は、ガラスの厚み部分までマジックテープを両面テープで貼る為ドアーガラスを閉めればガラス上部で挟み着けるのでほとんど脱落が無く、天候不良時、日差しの無い時、夜間等マジックテープだけで取り外しが簡単に出来、視界は通常になり安全確保が簡単である。【選択図】図２
0003109302.tif 000002
【実用新案登録請求の範囲】
【請求項１】
自動車フロントドアーガラスにスモークＵＶカット板を車種別に取付る事によって車内への直射日光を緩和し、視界を妨げず車内温度上昇を穏和する。
取付には、ドアーガラス自体にマジックテープを両面テープで貼付し、スモークＵＶカットにもマジックテープをはと目パッチと両面テープで貼付しマジックテープだけで脱着出来簡単である。日差しの無い時、夜間は、簡単に取り外し出来視界を妨げず安全に走行出来る様に脱落しにくく、脱着が簡単に出来る様考案した。
【考案の詳細な説明】
【技術分野】
【０００１】本考案は車内の温度上昇を緩和する為のフロントＵＶカットに関するものである。
【背景技術】
【０００２】スモーク板寸法が固定で日差し漏れが有り十分な効果が得られなかった。
【考案の開示】
【考案が解決しようとする課題】
【０００３】スモーク板寸法が１定の為各１車ずつ違う寸法巾のスモーク板が必要で有り、取付も吸盤等で、落ちたりしてスモーク板の効果があまり得られなかった。
【課題を解決するための手段】
【０００４】スモーク板自体を車種ごとのフロントサイドドアーガラスに合わせ既製品で車に取付出来る様、そして使用方法もマジックテープで着けるだけなので脱着も簡単で、落ちたりする事がしにくい前述の欠点を解決しようとするものである。
【考案の効果】
【０００５】上述の様に、本考案のサイドサンカットは、車種ごとに分けて提供するので隙間なくきれいに取付可能であり、使用、不使用も簡単で、使用時落ちにくく、脱着も容易である。
【考案を実施するための最良の形態】
【０００６】このスモーク板は、車種ごとに提供する事によって何処でも、何時でもすばやく個人が簡単に取付、取り外し出来駐車、走行中に限らず車内の温度上昇緩和に効果がある。
【実施例】
【０００７】以下、添付図面に従い実施例を説明する。１はサイドサンカット、２は自動車のフロントサイドドアーガラス、３はマジックテープ１と２各２箇所両面テープ貼り、１を２の車内側に蜜着する様に合わせ、３のマジックテープで運転席、助手席の車内側に取付る。本体自体はプラスチック製、半透明スモーク板とし、脱着はマジックテープのみで行う。【０００８】１は運転席、助手席の２枚１組、厚さ約２ｍｍとし、各車種別に提供する。
１のマジックテープ箇所に合せ２のマジックテープを両面テープで貼付けする。
２のマジックテープはガラス上面を巻き込む様に貼り脱落しにくい様にする。
【産業上の利用可能性】
【０００９】
【図面の簡単な説明】
【００１０】
【図１】サイドサンカット取付前側面図である。
【図２】サイドサンカット取付使用時側面図である。
【符号の説明】
【００１１】  １            サイドサンカット本体
２            各自動車フロントドアーガラス
３            取付用マジックテープ
【図１】
0003109302.tif 000003
【図２】
0003109302.tif 000004
【手続補正書】
【提出日】平成16年10月4日(2004.10.4)
【手続補正１】
【補正対象書類名】実用新案登録請求の範囲
【補正対象項目名】全文
【補正方法】変更
【補正の内容】
【実用新案登録請求の範囲】
【請求項１】
「構造において
（１）自動車フロントドアーガラスにスモークＵＶカット板を車種別に合わせる。
（２）ドアーガラス自体に面ファスナーを両面テープで貼付し、スモークＵＶカットにも面ファスナーを両面テープで貼付する。
以上からなるサイドサンカット。」
【手続補正３】
【補正対象書類名】明細書
【補正対象項目名】０００４
【補正方法】変更
【補正の内容】
【０００４】スモーク板自体を車種ごとのフロントサイドドアーガラスに合わせ既製品で車に取付出来る様、そして使用方法も面ファスナーで着けるだけなので脱着も簡単で、落ちたりする事がしにくい前述の欠点を解決しようとするものである。
【手続補正４】
【補正対象書類名】明細書
【補正対象項目名】０００７
【補正方法】変更
【補正の内容】
【０００７】以下、添付図面に従い実施例を説明する。１はサイドサンカット、２は自動車のフロントサイドドアーガラス、３は面ファスナー１と２各２箇所両面テープ貼り、１を２の車内側に蜜着する様に合わせ、３の面ファスナーで運転席、助手席の車内側に取付る。本体自体はプラスチック製、半透明スモーク板とし、脱着は面ファスナーのみで行う。
【手続補正５】
【補正対象書類名】明細書
【補正対象項目名】０００８
【補正方法】変更
【補正の内容】
【０００８】１は運転席、助手席の２枚１組、厚さ約２ｍｍとし、各車種別に提供する。
１の面ファスナー箇所に合せ２の面ファスナーを両面テープで貼付けする。
２の面ファスナーはガラス上面を巻き込む様に貼り脱落しにくい様にする。
【手続補正６】
【補正対象書類名】明細書
【補正対象項目名】００１１
【補正方法】変更
【補正の内容】
【００１１】１          サイドサンカット本体
２          各自動車フロントドアーガラス
３          取付用面ファスナー
【手続補正書】
【提出日】平成16年12月25日(2004.12.25)
【手続補正１】
【補正対象書類名】実用新案登録請求の範囲
【補正対象項目名】請求項１
【補正方法】変更
【補正の内容】
【請求項１】
自動車フロントドアーガラス形状のスモークＵＶカット板の表面に面ファスナーを両面テープで貼付したサイドサンカット。
【手続補正２】
【補正対象書類名】手続補正書
【補正対象項目名】手続補正７
【補正方法】削除
【補正の内容】
(57)【要約】      （修正有）【課題】現在、自動車等の交通事故で、双方の主張が平行線でお互いに譲らず、話し合いの結論がなかなか出にくく、当事者間及び司法関係や損害保険会社等ではトラブルの大きな原因になっている。【解決手段】赤外線感知式撮像管１を使用して、昼夜の関係なく走行中の自動車等の前方を撮影できるようにし、前方映像記録装置のユニット（本体）２の電源入切の制御にダイナモ３の発電した電力を使用し、トランスミッション及びサイドブレーキと連動したスイッチ６を設け、なおかつエンドレスの記録媒体を使用しこれを任意に取り出せるようにした。【選択図】図２
0003109310.tif 000002
【実用新案登録請求の範囲】
【請求項１】
本考案の自動車等の前方映像記録装置において、前方の映像を撮影する撮像管に昼夜即ち明暗の関係なく撮影することができる赤外線感知式の撮像管を使用したこと。
【請求項２】
自動車等のフロントガラス上部の運転者の視界を妨げない位置に赤外線感知式撮像管を配置し、この撮像管で撮影した車両前方の映像をダッシュボード等に納めたユニット（本体）へ送り、ユニットの電源のオンオフ制御にダイナモで発電した出力を直接使用することで自動車等走行時のみ常時記録保存するようにした自動車等に於ける前方映像記録装置。
【請求項３】
一定容量のエンドレス記録媒体を使用して、必要時には本体ユニットからいつでも取り出せるようにし、撮影した映像を任意の他の場所で誰でもすぐに見ることができるようにした。
【考案の詳細な説明】
【技術分野】
【０００１】本考案は、自動車等のフロントガラス上部の運転者の視界を妨げない位置にＣＣＤ等の撮像管を配置し、この撮像管で撮影した車両前方の景色をダッシュボード内に納めたユニット（本体）へ送り、自動車等走行時のみ常時記録保存するようにしたものである。
［考案の開示］
［考案が解決しようとする課題］【０００２】現在、自動車事故等において、特に交差点内の出合い頭事故のように、双方の主張が平行線でお互いに譲らず、話し合いの結論がなかなか出にくい場合が多々あります。この為に当事者間及び司法関係や損害保険会社ではトラブルの大きな原因の１つになっています。このトラブルの元凶は何かというと、事故時の現場の様子は当事者しか知り得ないということです。
［課題を解決するための手段］【０００３】本考案は、自動車等の走行中、常時前方を撮影記録しているので、万一交通事故が起きた場合、事故後、撮影記録している記録媒体を取り外し再生することによって、事故直前から事故時までの様子を第３者でも詳しく正確な情報として知り得ることができます。
［考案の効果］【０００４】事故直前から事故時までの詳細で正確な情報が得られるため、当事者間及び司法関係や損害保険会社では、現在のように責任度の割合等でトラブルになったりすることが無くなると思われます。また、狭い道路等で事故後の現場保存をしなくても、撮影された映像を詳しく分析すればよく、他の車両の通行の妨害も最小限に留めることができます。
［考案を実施するための最良の形態］【０００５】本考案を実施するための具体的な方法の１例を挙げてみます。まず、ＣＣＤ等の撮像管は昼夜すなわち明暗の関係なく撮影可能な赤外線感知式のものを使用し、自動車等のフロントガラスの内側の上部で運転者の視界を妨げない場所に適宜の方法を以て取り付けます。また、本体のユニットは、運転席のダッシュボードの中とか助手席の下、コンソールの辺りへ設置します。そして、この撮像管と本体ユニットを配線で接続しておきます。次に、本体ユニットの電源の配線ですが、走行中のみ前方を撮影すればよいので、本体電源スイッチ入切のリレー用電源として、自動車の発電機として使用しているダイナモの発電した電力を直接利用します。このようにすることによって、自動車のエンジンがかかっているときのみ本体ユニットへ電気が供給されるという仕組みです。また、この配線の途中にサイドブレーキを引いたとき及びトルコン車であればパーキングレンジ、マニュアル車であればニュートラルの位置で電源がオフとなるようにこれらに連動したスイッチを設けます。このスイッチによって、エンジンがかかっていても自動車等が停止している状態の時は前方の撮影は行われません。
以上説明したように、自動車等のエンジンがかかっている時以外は本装置は動作状態にならず、エンジンがかかっていてもトランスミッション及びサイドブレーキと連動したスイッチによる二重のロックによって、自動車等が走行状態にならない限り前方の撮影は開始されません。また、自動車が走行状態の場合は、昼夜則ち明暗の関係なく前方の撮影、記録がされています。そして、自動車等の運転をする人は、この装置を取り付けたからといって余計な操作をする必要は全くなく、従来通りの運転操作をしていればよいので運転者に対して全く負担となることもありません。
次に、映像を記録する記録媒体についてですが、一定の容量を有しエンドレスで記録できるようにし、必要時には本体ユニットからいつでも取り出せるようにしました。この様にすることで、撮影した映像を任意の他の場所で誰でもすぐに見ることができます。また時計機能を内蔵したり、走行時のスピードメーター値を記録した映像にテロップとして入れれば、撮影日時及び時々刻々の走行スピードをも詳しく知ることができます。
【図面の簡単な説明】
【０００６】    ［第１図］  本装置を自動車等に装着した場合の側面図である。
［第２図］  本装置の配線図である。
【符号の説明】
【０００７】      １、赤外線感知式撮像管
２、ユニット（本体）
３、ダイナモ（発電機）
４、リレースイッチ
５、トルコン又はミッションと連動しているスイッチ
６、サイドブレーキと連動しているスイッチ
７、バッテリー
８、撮像管とユニットを接続する配線
９、ダイナモの出力配線
１０、自動車等
【図１】
0003109310.tif 000003
【図２】
0003109310.tif 000004
【手続補正書】
【提出日】平成16年11月8日(2004.11.8)
【手続補正１】
【補正対象書類名】実用新案登録請求の範囲
【補正対象項目名】全文
【補正方法】変更
【補正の内容】
【実用新案登録請求の範囲】
【請求項１】
自動車等において、前方の映像を撮影する撮像管に、赤外線感知式の撮像管を使用した前方映像記録装置。
【請求項２】
自動車等のフロントガラス上部の運転者の視界を妨げない位置に赤外線感知式撮像管を配置し、この撮像管で撮影した車両前方の映像をダッシュボード等に納めたユニット（本体）へ送り、ユニットの電源のオンオフ制御にダイナモで発電した出力を直接使用することで自動車等走行時のみ常時記録保存するようにした自動車等に於ける前方映像記録装置。
【請求項３】
一定容量のエンドレス記録媒体を使用して、必要時には本体ユニットからいつでも取り出せるようにし、撮影した映像を任意の他の場所で誰でもすぐに見ることができるようにした前方映像記録装置。
(57)【要約】【課題】取付けが簡単で、耐久性に優れたサイドフロ−トの提供【解決手段】この考案のサイドフロ−トは、ボ−ト本体の左右の舷側に取り付けるサイドフロ−トであって、サイドフロ−トを取り付ける部位の舷側面に当接可能に成形した略短冊状のＦＲＰ又は樹脂からなる基板１に、前端部ａが流線形状に立ち上がり、切断面ｂが略逆Ｕ字状をなすＦＲＰ又は樹脂からなる突出部２を一体的に設け、基板１の前後端の両脇部及び中間の両脇部に、締着用のネジ孔３を穿設しおり、蝶ネジ等によって簡単に取り付け、取り外しが可能であるとともに、摩耗や紫外線に対して強い対抗性を備えている。【選択図】 図１
0003109146.tif 000002
【実用新案登録請求の範囲】
【請求項１】
ボ−ト本体の左右の舷側に取り付けるサイドフロ−トであって、サイドフロ−トを取り付ける部位の舷側面に当接可能に成形した略短冊状のＦＲＰ又は樹脂からなる基板（１）に、前端部（ａ）が流線形状に立ち上がり、切断面（ｂ）が略逆Ｕ字状をなすＦＲＰ又は樹脂からなる突出部（２）を一体的に設け、前記基板（１）の前後端の両脇部及び中間の両脇部に、締着用のネジ孔（３）を穿設してなることを特徴とするサイドフロ−ト
【考案の詳細な説明】
【技術分野】
【０００１】
この考案は、ボ−ト本体の左右の舷側に取り付けるサイドフロ−トに関するものである。
【背景技術】
【０００２】
従来、ハイパロンゴム等からなるインフレ−ダブル型サイドフロ−トが知られている（例えば、特許文献１参照。）。しかし、かかる構造のサイドフロ−トには、次のような問題点があった。
【０００３】
（１）ボ−トで海釣り等をする場合、釣針をサイドフロ−トに引っかけ、サイドフロ−トに穴をあけ、サイドフロ−トをパンクさせる不具合が生じるおそれがあった。
（２）磯や桟橋等に係留しているとき、岸壁や岩等との擦れによって、サイドフロ−トが損傷し、裂傷などを引き起こすおそれがあった。
（３）紫外線劣化を受けやすく、フロ−トの表面にクラックが発生するおそれがあった。
（４）ボ−ト本体への取付けが複雑であった。
【特許文献１】実用新案登録第３０９５７７６号公報
【考案の開示】
【考案が解決しようとする課題】
【０００４】
この考案は、背景技術で記述した問題点を解消するためになされたもので、取付けが簡単で、耐久性に優れたサイドフロ−トの提供を目的とするものである。
【課題を解決するための手段】
【０００５】
この考案のサイドフロ−トは、ボ−ト本体の左右の舷側に取り付けるサイドフロ−トであって、サイドフロ−トを取り付ける部位の舷側面に当接可能に成形した略短冊状のＦＲＰ又は樹脂からなる基板に、前端部が流線形状に立ち上がり、後端にいくにしたがって末広がりとなり、切断面が略逆Ｕ字状をなすＦＲＰ又は樹脂からなる突出部を一体的に設け、前記基板の前後端の両脇部及び中間の両脇部に、締着用のネジ孔を穿設していることを特徴とするものである。
【考案の効果】
【０００６】
この考案は上述のように構成されているので、次のような効果を呈する。
（１）ＦＲＰ又は樹脂から構成されているので、紫外線に強く耐久性があり、磯や桟橋等に係留しているとき、岸壁や岩等との擦れによっても、サイドフロ−トが損傷し、裂傷などを引き起こすおそれはない。
（２）インフレ−ダブル型ではないので、釣針をサイドフロ−トに引っかけ、サイドフロ−トに穴をあけ、サイドフロ−トをパンクさせる不具合は全く生じない。
（３）ボ−ト本体への取付けは、蝶ネジ等で、ネジ締めするだけでよいので、簡単に着脱ができる。
（４）ボ−ト本体の舷側に密接して一体的に取り付けているので、ロ−リング防止効果が向上する。
【考案を実施するための最良の形態】
【０００７】
取付けが簡単で、耐久性に優れたサイドフロ−トの提供という目的を、サイドフロ−トを取り付ける部位の舷側面に当接可能に成形した略短冊状のＦＲＰ又は樹脂からなる基板と該基板に一体的に設けたＦＲＰ又は樹脂からなる突出部と前記基板の前後端の両脇部及び中間の両脇部に、締着用のネジ孔を設けることによって実現できた。
【実施例】
【０００８】
この考案の実施の形態の一例を図面を参照しながら説明するに、図１〜図３に示すように、ボ−ト本体の左右の舷側に取り付けるサイドフロ−トであって、略短冊状のＦＲＰ又は樹脂からなる基板１は、サイドフロ−トＡを取り付ける部位の舷側面に当接可能に成形されている。
【０００９】
なお、図２は側面図あり、この図から分かるように、基板１は、取り付けられる部位の舷側のカ−ブに合うようなソリを備えている。
【００１０】
基板１に、前端部ａが、図２に示すように、流線形状に立ち上がり、切断面ｂが、図３に示すように、略逆Ｕ字状をなすＦＲＰ又は樹脂からなる突出部２を一体的に設けている。
【００１１】
したがって、突出部２は、内部に空気を満して密閉された空洞を形成し、ボ−ト本体４に浮力を付与する浮きとして働く。
【００１２】
さらに、基板１の前後端の両脇部及び中間の両脇部に、図１に示すように、締着用のネジ孔３を穿設している。なお、図３に示した切断面における基板１の曲がりは、図４に示したボ−ト本体４の舷側の形状に適用可能に成形したものであり、ボ−ト本体４の舷側の形状が変わると、それに応じて、基板１の曲がり具合も適宜に変わる。
【００１３】
実施に際しては、図４に示すように、ボ−ト本体４の左右の舷側の所定位置に、サイドフロ−トＡをあてがい、図示は省略した蝶ネジ等を締着用のネジ孔３にねじ込んで装着する。
【００１４】
なお、ボ−ト本体４の左右の舷側の所定位置には、前記蝶ネジ等に螺合する雌ねじ部材を埋設している。
【産業上の利用可能性】
【００１５】
この考案は上述のように構成されているので、ボ−ト本体の左右の舷側に取り付ける耐久性の優れたサイドフロ−トとして利用できる。
【図面の簡単な説明】
【００１６】
【図１】考案の一実施例を示す平面図
【図２】考案の一実施例を示す側面図
【図３】図２におけるＡ−Ａ切断面図
【図４】取付状態を示す概略説明図
【符号の説明】
【００１７】
１ ＦＲＰ又は樹脂からなる基板
２ ＦＲＰ又は樹脂からなる突出部
３ 締着用のネジ孔
４ ボ−ト本体
Ａ サイドフロ−ト
ａ 前端部
ｂ 切断面
【図１】
0003109146.tif 000003
【図２】
0003109146.tif 000004
【図３】
0003109146.tif 000005
【図４】
0003109146.tif 000006
(57)【要約】      （修正有）【課題】大曲率のスプロケットに適用するチェーンを提供する。【解決手段】少なくとも複数のピン２により複数の内連結片１と外連結片１ａとを連結してなるチェーンであって、ピン２又はピン穴２ａが連結片１，１ａの対称中心線に対して偏っていることを特徴とするチェーンである。連結片１，１ａが対称でないため、ピッチが変わらない条件において、上記のチェーンがピッチ円の小さいスプロケットと噛み合い、伝動がより均一になる。【選択図】図１
0003109128.tif 000002
【実用新案登録請求の範囲】
【請求項１】
少なくとも、複数のピン（２）により複数の内連結片（１）と外連結片（１ａ）とを連結してなるチェーンにおいて、各連結片の２つのピン（２）又はピン穴（２ａ）の中心を結ぶ線が前記連結片の対称中心線に対して偏っている、即ち、前記連結片が２つのピンを結ぶ線に対して対称でないことを特徴とするチェーン。
【請求項２】
前記ピン（２）又はピン穴（２ａ）が前記連結片の縁の輪郭内にあることを特徴とする請求項１に記載のチェーン。
【請求項３】
前記ピン（２）又はピン穴（２ａ）が前記連結片の輪郭線より突出していることを特徴とする請求項１に記載のチェーン。
【考案の詳細な説明】
【技術分野】
【０００１】
本考案は、伝動チェーンに関する。
【背景技術】
【０００２】
近年、小輪径の自転車が流行っている。車輪の径が小さいため、自転車全体を調和させるようにフレーム及び各部品も小さくなっている。自転車の伝動チェーンのピッチは万国共通の０．５インチとなっているので、伝動機構の径が小さくなり、フライホイール上のスプロケットの径が２２ｍｍ程度まで小さくさせられる。スプロケットの径が小さいと曲率は大きくなるが、チェーンのピッチが０．５インチのまま変わらないので、各連結片の長さが長すぎることになり、ピッチが長すぎるチェーンと曲率の大きすぎるスプロケットを噛み合せると、伝動がスムーズにならない。例えば、走行時に強くなったり弱くなったりする震動感や不連続感が感じられる、即ち伝動が均一でなくなる。
【考案の開示】
【考案が解決しようとする課題】
【０００３】
本考案は、大曲率のスプロケットに適用するチェーンを提供することを目的とする。
【課題を解決するための手段】
【０００４】
本考案のチェーンは、少なくとも複数のピンにより複数の内連結片と外連結片とを連結してなる。各連結片の２つのピン又はピン穴の中心を結ぶ線が連結片の対称中心線に対して偏っている、即ち、連結片が２つのピンを結ぶ線に対して対称でない。
【０００５】
本考案のチェーンは、ピンを結ぶ線に対して対称でないため、チェーンがスプロケットと噛み合う場合、連結片のスプロケット側にある部分の幅が狭くなる。つまり、チェーンの各関節部がもっとスプロケットに近くなるため、チェーンの回転曲率が大きくなり、伝動の均一性や連続性が向上するとともに、連結片の強度が反対側の幅及び板金部材自身の厚みにより補える。上記のチェーンによれば、従来のチェーンに比べて、同じチェーンピッチの条件において、ピッチ円の小さいスプロケットと噛み合せるのにより相応しい。
【考案を実施するための最良の形態】
【０００６】
少なくとも、複数のピン２により複数の内連結片１と外連結片１ａとを連結してなるチェーンにおいて、各連結片１，１ａの２つのピン２又はピン穴２ａの中心を結ぶ線Ａは、連結片１，１ａの対称中心線に対して偏っている、即ち、連結片１，１ａが２つのピン２を結ぶ線に対して対称でない。
【０００７】
連結片１，１ａの２つのピン２又はピン穴２ａの中心を結ぶ線Ａは、連結片１，１ａの対称中心線から離反している。
【０００８】
ピン２又はピン穴２ａは連結片１，１ａの縁の輪郭内に位置し、又は、図４のように、ピン２又はピン穴２ａは連結片１，１ａの輪郭線より突出し、つまり連結片１，１ａにおけるピン穴２ａは開口している。
【図面の簡単な説明】
【０００９】
【図１】チェーンの連結関係を示す模式図である。
【図２】内連結片の斜視図である。
【図３】外連結片の斜視図である。
【図４】内連結片の正面図である。
【符号の説明】
【００１０】
１    内連結片
１ａ    外連結片
２    ピン
２ａ    ピン穴 
【図１】
0003109128.tif 000003
【図２】
0003109128.tif 000004
【図３】
0003109128.tif 000005
【図４】
0003109128.tif 000006
(57)【要約】【目的】  従来、立ったまま使用出来る長尺靴べらはあるが、それを短くして携帯出来る長さとした靴べらは見当たらず、足腰の弱いかがむ事が困難な人は外出を控えがちであった。この考案は以上の問題を解決して携帯出来る長尺靴べらを提供する。【構成】  支持部材２の長さ方向両端に接合穴３を形成させ、その支持部材２同士を複数個接合手段にて接合して長尺とし、長尺の少なくとも一端若しくは両端に靴べら部材１を接合手段にて接合した。【選択図】    図１
0003109165.tif 000002
【実用新案登録請求の範囲】
【請求項１】
長円形板状とした支持部材（２）の長さ方向両端に接合穴（３）を形成させ、上記支持部材（２）同士を複数個接合手段にて平面的回動自在に接合させて折り尺状とし、更にその接合折尺状の少なくとも一端に靴べら部材（１）を上記接合手段にて接合して、長尺靴べらとした折り尺式長尺靴べら。
【請求項２】
接合手段をハトメとした請求項１記載の折り尺式長尺靴べら。
【請求項３】
折り尺式長尺靴べらの伸長時に、その長さ方向両端に靴べら部材（１）を設けることにより、使用時に方向を考える必要をなくした請求項１又は２記載の折り尺式長尺靴べら。
【請求項４】
支持部材（２）及び靴べら部材（１）の使用材を堅くて柔軟性を有するモミジ材としたことを特徴とする折り尺式長尺靴べら。
【考案の詳細な説明】
【技術分野】
【０００１】  この考案は靴べら、特に携帯出来る長尺靴べらに関するものである。
【背景技術】
【０００２】  従来、立ったまま使用出来る長尺靴べらはあるが、それを短くして携帯出来る長さとした靴べらは見当たらない。【０００３】  そして携帯出来る靴べらとしては二つ折りに出来るものがある。（例えば特許文献１参照。）
【特許文献１】  登録実用新案第３０８６８３７号
【考案の開示】
【考案が解決しようとする課題】
【０００４】  しかしながら、上記の特許文献１は、せいぜいが二つ折り程度の長さの物であり、とても立ったまま使用したい要望に答えるものではない。【０００５】  この考案は以上の問題を解決して、携帯出来る長尺靴べらを提供しようとするものである。
【課題を解決するための手段】
【０００６】  支持部材２の長さ方向両端に接合穴３を形成させ、その支持部材２同士を複数個接合手段にて接合して長尺となし、更にその長尺の長さ方向両端に靴べら部材１を接合手段にて接合する。
この考案は以上の構成を基本としてなる折り尺式長尺靴べらである。
【考案の効果】
【０００７】  この考案の靴べらは立ったまま使用出来る長尺から、携帯出来る掌サイズまで一つの靴べらで対応でき、足腰の弱い人がかがむこともなく靴を履けるから、安心して外出できるようになった。
【考案を実施するための最良の形態】
【０００８】  基本的には図示した様に、支持部材２を接合手段にて複数個接合して長尺とし、その長さ方向両端に靴べら部材１を接合手段にて接合することによって、どちら側からも長尺靴べらとして使用出来るようにした。更に材質として堅くても柔軟性を有するモミジ材を使用し強度的にも安心出来る様にした形態が最も好ましいものといえる。【０００９】  靴べら部材１の形状としては、支持部材２より肉厚であり通常靴べらのように横方向に湾曲させてあり、更に支持部材２の長さ方向両端の靴べら部材１は共に収納時には湾曲面が上面になる様に接合してある。
【実施例１】
【００１０】  この考案の実施例１を図面に基づいて説明する。図１に示すように、支持部材２を接合手段にて複数個接合して長尺とし、その長さ方向両端に靴べら部材１を接合手段にて接合する。材質に関しては木材、金属、プラスチック等考えられるが、ここでは木の温かみと軽さを利用して木材を使用した。具体的に靴べら部材１と支持部材２の寸法は、掌サイズとするために長さ１５ｃｍ、幅３ｃｍ、厚さ２ｍｍ位で長円形板状となっている。接合手段としては接合部分が厚くならないようにハトメ方式を用い、接合穴３同士をハトメで接合して折り尺式に収納する長尺靴べらとした。
【実施例２】
【００１１】  金属（ステンレス）でも試作をしたが、形状的には厚みは薄く出来るが重さは木材より重く、そしてなによりも感覚的に冷たく手を傷つける危険も感じられる等推奨出来ない。
【図面の簡単な説明】
【００１２】
【図１】この考案の実施例を示す斜視図である。（実施例１）
【図２】この考案の折り尺状態を示す斜視図である。
【符号の説明】
【００１３】  １  靴べら部材
２  支持部材
３  接合穴
【図１】
0003109165.tif 000003
【図２】
0003109165.tif 000004